(57)【要約】【課題】  導体パターンをメアンダ状に形成したメアンダラインアンテナに関し、所望の特性が得られるように、基本パターンを基に粗調整と微調整とを可能とする。【解決手段】  折り返しダイポールアンテナの導体パターンをメアンダ状に折り返して形成したメアンダラインアンテナに於いて、折り返し導体パターンからなり、ほぼ中央部にＩＣチップを搭載して接続する給電点（ｃ）を形成した下半部と、この下半部と類似形状の折り返し導体パターンからなる上半部とを有し、下半部と上半部との何れか一方又は両方の対向導体パターン間を所定間隔で接続した複数の粗調整用短絡導体パターン１からなる粗調整部（ａ）と、給電点（ｃ）と対向した位置の上半部の対向導体パターン間を所定間隔で接続した複数の微調整用短絡導体パターン２からなる微調整部（ｂ）とを有する基本構成を備えている。【選択図】        図１
2006216999.tif 000002
【特許請求の範囲】
【請求項１】
折り返しダイポールアンテナの導体パターンをメアンダ状に折り返して形成したメアンダラインアンテナに於いて、
折り返し導体パターンからなり、ほぼ中央部に給電点を形成した下半部と、該下半部と類似形状の折り返し導体パターンからなる上半部とを有し、前記下半部と前記上半部との何れか一方又は両方の対向導体パターン間を所定間隔で接続した複数の粗調整用短絡導体パターンからなる粗調整部と、前記給電点と対向した位置の前記上半部の対向導体パターン間を所定間隔で接続した複数の微調整用短絡導体パターンからなる微調整部とを有する基本構成を備えた
ことを特徴とするメアンダラインアンテナ。
【請求項２】
前記粗調整部の複数の粗調整用短絡導体パターンの中の選択した粗調整用短絡導体パターンを残し、且つ前記微調整用部の複数の微調整用短絡導体パターンの中の選択した微調整用短絡導体パターンを残した構成を備えたことを特徴とする請求項１記載のメアンダラインアンテナ。
【請求項３】
折り返しダイポールアンテナの導体パターンをメアンダ状に折り返して形成したメアンダラインアンテナに於いて、
折り返し導体パターンからなり、ほぼ中央部に給電点を形成した下半部と、該下半部と類似形状の折り返し導体パターンからなる上半部とを有し、前記下半部と前記上半部との間を所定間隔で接続した複数の粗調整用接続導体パターンからなる粗調整部と、前記給電点と対向した位置の前記上半部の対向導体パターン間を所定間隔で接続した複数の微調整用短絡導体パターンからなる微調整部とを有する基本構成を備えた
ことを特徴とするメアンダラインアンテナ。
【請求項４】
前記粗調整部の複数の粗調整用短絡導体パターンの中の選択した粗調整用接続導体パターンを残し、且つ前記微調整部の複数の微調整用短絡導体パターンの中の選択した微調整用短絡導体パターンを残した構成を備えたことを特徴とする請求項３記載のメアンダラインアンテナ。
【請求項５】
折り返しダイポールアンテナの導体パターンをメアンダ状に折り返して形成したメアンダラインアンテナに於いて、
折り返し導体パターンからなり、ほぼ中央部に給電点を形成し、他の対向導体パターン間の間隔よりも前記給電点の両側の対向導体パターン間の間隔を広くし、該対向導体パターン間を、所定の間隔で接続した複数の粗調整用短絡導体パターンからなる粗調整部と、前記給電点と対向した前記上半部の対向導体パターン間を所定間隔で接続した複数の微調整用短絡導体パターンからなる微調整部とを有する基本構成を備えた
ことを特徴とするメアンダラインアンテナ。
【請求項６】
前記粗調整部の複数の粗調整用短絡導体パターンの中の選択した粗調整用短絡導体パターンを残し、且つ前記微調整部の複数の微調整用短絡導体パターンの中の選択した微調整用短絡導体パターンを残した構成を備えたことを特徴とする請求項５記載のメアンダラインアンテナ。
【発明の詳細な説明】
【技術分野】
【０００１】
本発明は、折り返し導体パターンにより構成すると共に、所望の電気的特性が得られるように調整可能の構成を有するメアンダラインアンテナに関する。
【背景技術】
【０００２】
ＩＣタグ（Ｉｎｔｅｇｒａｔｅｄ  Ｃｉｒｃｕｉｔ  Ｔａｇ）や、ＲＦＩＤタグ（Ｒａｄｉｏ  Ｆｒｅｑｕｅｎｃｙ  Ｉｄｅｎｔｉｆｉｃａｔｉｏｎ  Ｔａｇ）等に適用する為の平面アンテナとして、各種の構成が提案されており、メアンダラインアンテナ（Ｍｅａｎｄｅｒ  Ｌｉｎｅ  Ａｎｔｅｎｎａ）もその一つである。このメアンダラインアンテナは、例えば、折り返しダイポールアンテナの導体をジグザグ状に折り曲げたパターンを有するもので、既に各種の構成が提案されている。
【０００３】
例えば、誘電体基板上又は磁性体基板上或いはそれらの基板内にメアンダ状の導体パターンを形成し、所望のアンテナ特性が得られるように長さを選定して切断した後に、基板を焼成することにより、単一層又は複数層の導体パターンからなるメアンダラインアンテナを製造する方法が知られている（例えば、特許文献１参照）。又誘電体基板上に、給電放射電極としてのメアンダ状の導体パターンと、無給電放射電極としてのメアンダ状の導体パターンと、直列インダクタンス修正用の導体パターンとを形成し、この直列インダクタンス修正用の導体パターンの部分的な削除により共振周波数の調整を行う構成が知られている（例えば、特許文献２参照）。
【０００４】
又メアンダ状の導体パターンの一部の対向ライン間を複数個所に於いて接続した短絡導体を形成し、その短絡導体の切断位置を選択することにより、共振周波数を低くするように調整し、又は対向ライン間を短絡する位置を選択して短絡導体で接続することにより、共振周波数を高くするように調整するメアンダラインアンテナが知られている（例えば、特許文献３参照）。又メアンダ状の導体パターンに対する複数個所の短絡部を選択的に削除し、共振周波数の調整を行って、アンテナの給電点を除いて、全体的に誘電体により封止したアンテナが知られている（例えば、特許文献４参照）。
【０００５】
又ＩＣタグ等に適用可能のメアンダラインアンテナについて、０．１〜０．０２５波長アンテナの全体の幅Ｗと長さＬとライン幅ｄとライン間隔ｓと折り曲げ回数Ｎ等のパラメータを設定して、周波数７００ＭＨｚ帯に於ける特性の実測結果とシミュレーション結果との検討が行われている（例えば、非特許文献１参照）。
【特許文献１】特開２００１−１１９２２４号公報
【特許文献２】特開２００１−２１７６３１号公報
【特許文献３】特開２００２−３３００１８号公報
【特許文献４】特開２００４−３２１０２号公報
【非特許文献１】「０．１波長以下の超小形メアンダラインアンテナの電気特性」滝口将人、山田吉英  電子情報通信学会論文誌  Ｂ  Ｖｏｌ．Ｊ８７−Ｂ  Ｎｏ．９  ｐｐ１３３６−１３４５  ２００４年９月
【発明の開示】
【発明が解決しようとする課題】
【０００６】
メアンダラインアンテナは、平面型であり、例えば、既に各種のプリント基板等の製作に適用されているプリント配線技術等を用いて多量生産が可能である。しかし、このメアンダラインアンテナを貼り付けるカード等の基板の誘電率等の電気的特性や使用環境の条件等によって、アンテナとしての特性が大きく影響を受けるものである。その為に、メアンダラインアンテナの基板の電気的特性や使用場所等に対応して、所望の特性が得られるように、アンテナ長等についての設計変更や試作の繰り返しを行う必要が生じる問題があった。又ＲＦＩＤタグは、現在８６０〜９６０ＭＨｚ帯と、２．４５ＧＨｚ帯とが適用されている。従って、メアンダラインアンテナは、このような複数の周波数帯に対して適用する為に、それぞれ周波数帯に対応して設計、試作を繰り返すことになり、多くの時間と労力とを要する問題があった。
【０００７】
本発明は、前述の問題点を解決するものであり、粗調整と微調整とを可能とする基本パターンの構成とし、使用目的等に対応した所望の特性が得られるメアンダラインアンテナを提供することを目的とする。
【課題を解決するための手段】
【０００８】
本発明のメアンダラインアンテナは、折り返しダイポールアンテナの導体パターンをメアンダ状に折り返して形成したメアンダラインアンテナに於いて、折り返し導体パターンからなり、ほぼ中央部に給電点を形成した下半部と、この下半部と類似形状の折り返し導体パターンからなる上半部とを有し、前記下半部と前記上半部との何れか一方又は両方の対向導体パターン間を所定間隔で接続した複数の粗調整用短絡導体パターンからなる粗調整部と、給電点と対向した位置の前記上半部の対向導体パターン間を所定間隔で接続した複数の微調整用短絡導体パターンからなる微調整部とを有する基本構成を備えている。
【０００９】
又前記粗調整部の複数の粗調整用短絡導体パターンの中の選択した粗調整用短絡導体パターンを残し、且つ前記微調整用部の複数の微調整用短絡導体パターンの中の選択した微調整用短絡導体パターンを残した構成を備えている。
【００１０】
又折り返しダイポールアンテナの導体パターンをメアンダ状に折り返して形成したメアンダラインアンテナに於いて、折り返し導体パターンからなり、ほぼ中央部に給電点を形成した下半部と、この下半部と類似形状の折り返し導体パターンからなる上半部とを有し、前記下半部と前記上半部との間を所定間隔で接続した複数の粗調整用接続導体パターンからなる粗調整部と、給電点と対向した位置の前記上半部の対向導体パターン間を所定間隔で接続した複数の微調整用短絡導体パターンからなる微調整部とを有する基本構成を備えている。
【００１１】
又前記粗調整部の複数の粗調整用短絡導体パターンの中の選択した粗調整用接続導体パターンを残し、且つ前記微調整部の複数の微調整用短絡導体パターンの中の選択した微調整用短絡導体パターンを残した構成を備えている。
【００１２】
又折り返しダイポールアンテナの導体パターンをメアンダ状に折り返して形成したメアンダラインアンテナに於いて、折り返し導体パターンからなり、ほぼ中央部に給電点を形成し、他の対向導体パターン間の間隔よりも前記給電点の両側の対向導体パターン間の間隔を広くし、該対向導体パターン間を、所定の間隔で接続した複数の粗調整用短絡導体パターンからなる粗調整部と、給電点と対向した前記上半部の対向導体パターン間を所定間隔で接続した複数の微調整用短絡導体パターンからなる微調整部とを有する基本構成を備えている。
【００１３】
又前記粗調整部の複数の粗調整用短絡導体パターンの中の選択した粗調整用短絡導体パターンを残し、且つ前記微調整部の複数の微調整用短絡導体パターンの中の選択した微調整用短絡導体パターンを残した構成を備えている。
【発明の効果】
【００１４】
粗調整部と微調整部とを含む基本構成の導体パターンを大量生産し、基板の電気的特性や使用条件等に対応して、粗調整部によりおおまかな調整を行い、微調整部により所望の正確な特性が得られるように調整することができる。それにより、所望の特性が得られる粗調整部と微調整部との導体パターンが決まれば、その導体パターンが得られるように、カッターやパンチ等により不用な導体パターンを削除するだけですむから、設計、試作の繰り返しが必要でなくなり、少ない労力により廉価なアンテナを供給することができる利点がある。
【発明を実施するための最良の形態】
【００１５】
本発明のメアンダラインアンテナは、図１を参照すると、折り返しダイポールアンテナの導体パターンをメアンダ状に折り返して形成したメアンダラインアンテナに於いて、折り返し導体パターンからなり、ほぼ中央部に給電点（ｃ）を形成した下半部と、この下半部と類似形状の折り返し導体パターンからなる上半部とを有し、下半部と上半部との何れか一方又は両方の対向導体パターン間を所定間隔で接続した複数の粗調整用短絡導体パターン１からなる粗調整部（ａ）と、給電点（ｃ）と対向した位置の上半部の対向導体パターン間を所定間隔で接続した複数の微調整用短絡導体パターン２からなる微調整部（ｂ）とを有する基本構成を備えている。
【実施例１】
【００１６】
図１は、本発明の実施例１の説明図であり、折り返しメアンダラインダイポールアンテナとしての基本構成を示す。この基本構成の上半部と下半部とはほぼ対称の形状を有し、（ａ）は粗調整部、（ｂ）は微調整部、（ｃ）はＩＣチップを搭載して接続するアンテナの給電点を示す。又長さＬは、例えば、４８ｍｍ、幅Ｗは、例えば、２２．５ｍｍとし、導体パターンの幅は、例えば、０．２５ｍｍ、微調整部（ｂ）と給電点（ｃ）とに於ける対向導体パターン間の間隔は、例えば、１．５ｍｍ、この微調整部（ｂ）と給電点（ｃ）とを除く他の対向導体パターン間の間隔は、例えば、０．７５ｍｍ、上半部と下半部との間の間隔は、例えば、１．５ｍｍとすることができる。又上半部と下半部とに形成した粗調整部（ａ）は、対向導体パターン間を複数個所で短絡接続する粗調整用短絡導体パターン１により構成し、微調整部（ｂ）は、給電点（ｃ）と対向する上半部の対向導体パターン間を複数個所で短絡接続する微調整用短絡導体パターン２により構成している。なお、微調整部（ｂ）に於ける対向導体パターン間の間隔は、微調整ステップと調整処理等を考慮して選定することができる。又給電点（ｃ）に於ける対向導体パターン間の間隔は、ＩＣチップ搭載等を考慮して選定することができる。
【００１７】
基本構成の上半部と下半部との粗調整部（ａ）の最外側の粗調整用短絡導体パターン１と、微調整部（ｂ）の最内側の微調整用短絡導体パターン２とを残して、他の短絡導体パターン１，２を総てカッターによる切断或いはパンチングによる打ち抜き等により切断する調整を行うと、図２の（Ａ）に示す幅Ｗ１（＝Ｗ）のメアンダラインアンテナが構成される。なお、長さＬは、図１に示す基本構成のメアンダラインアンテナの長さＬと同一である。又粗調整部（ａ）の最外側の粗調整用短絡導体パターンと３番目及び４番目の粗調整用短絡導体パターンを削除して、２番目の粗調整用短絡導体パターン１を残す調整を行うと、図２の（Ｂ）に示す幅Ｗ２（＜Ｗ１）のメアンダラインアンテナが構成される。この場合、微調整部（ｂ）は、図２の（Ａ）に示す場合と同様に最内側の微調整用短絡導体パターン２を残して、他の微調整用短絡導体パターンを削除した場合を示す。又粗調整部（ａ）の３番目の粗調整用短絡導体パターンを残して、他の粗調整用短絡導体パターンを削除する調整を行うと、図３の（Ｃ）に示す幅Ｗ３（＜Ｗ２＜Ｗ１）のメアンダラインアンテナが構成される。この場合も、微調整部（ｂ）は、図２の（Ａ）に示す場合と同様に粗調整用短絡導体パターンを削除した場合を示す。同様にして、微調整部（ａ）の外側の３本の微調整用短絡導体パターンを削除し、４番目の微調整用短絡導体パターンを残す調整を行うと、図３の（Ｄ）に示す幅Ｗ４（＜Ｗ３＜Ｗ２＜Ｗ１）のメアンダラインアンテナが構成される。
【００１８】
図４の（Ａ），（Ｂ）及び図５の（Ｃ），（Ｄ）は、前述の図２の（Ａ），（Ｂ）及び図３の（Ｃ），（Ｄ）に示すメアンダラインアンテナの８００〜１１００ＭＨｚに於ける粗調整部（ａ）を調整した場合のインピーダンス特性を示し、黒丸印は、９００ＭＨｚに於けるインピーダンスを示す。この場合、基本構成の寸法として、Ｌ＝４８ｍｍ、Ｗ１＝Ｗ＝２４．５ｍｍとすると、図４の（Ａ）は、図２の（Ａ）に示す基本構成のインピーダンス特性を示す。又図４の（Ｂ）は、粗調整部（ａ）により調整して、図２の（Ｂ）に示すように、Ｗ＝２２．５ｍｍとした場合のインピーダンス特性を示す。又図５の（Ｃ）は、図３の（Ｃ）に示すように、幅Ｗ３＝２０．２５ｍｍとした場合のインピーダンス特性を示す。又図５の（Ｄ）は、図３の（Ｄ）に示すように、幅Ｗ４＝１８．２５ｍｍとした場合のインピーダンス特性を示す。なお、調整幅は、粗調整用短絡導体パターン１の間隔により設定することができる。又調整段数は、粗調整用短絡導体パターン１の本数により設定することができる。
【００１９】
又前述の実施例１に於いて、上半部と下半部との粗調整部（ａ）の粗調整用短絡導体パターン１の削除による粗調整は、上半部と下半部とを対称的な構成となるように行った場合を示すが、非対称的な構成となるように削除して粗調整を行うことも可能である。即ち、上半部の粗調整部（ａ）、或いは下半部の粗調整部（ａ）のみについて、粗調整用短絡導体パターンの削除による粗調整を行うことも可能である。又上半部又は下半部或いは両方について、長さＬ方向に１個或いは複数個おきに、粗調整用短絡導体パターン１を削除して粗調整を行うことも可能である。この場合も上半部と下半部とを非対称的な構成となるように粗調整を行うことができる。何れの粗調整手段によっても、アンテナのインピーダンスの粗調整が可能であり、その結果によるアンテナとしての特性の劣化は生じなかった。又微調整部（ｂ）の微調整用短絡導体パターンの削除による微調整によって、粗調整結果のアンテナのインピーダンスを、それぞれ微調整することができる。従って、図１に示す基本パターン構成の微調整用短絡導体パターンを含む微調整部（ｂ）の構成を残して粗調整部（ａ）の粗調整用短絡導体パターンの削除による粗調整を行い、所望のインピーダンスに近似したインピーダンスとした後に、微調整部（ｂ）の微調整用短絡導体パターンの削除による微調整を行って、所望のインピーダンスのメアンダラインアンテナを構成することができる。
【実施例２】
【００２０】
図６は、本発明の実施例２の説明図であり、長さＬと幅Ｗとの領域に形成した基本構成を示し、例えば、Ｌ＝４８ｍｍ、Ｗ＝２０ｍｍ、導体パターンの幅を０．２５ｍｍとすることができる。又粗調整部（ａ）は、上半部と下半部との間を複数個所で接続する粗調整用接続導体パターン３により構成し、微調整部（ｂ）は、給電点（ｃ）に対向した上半部に、図１に示す構成と同一構成とした場合を示す。即ち、導体パターンを折り曲げた形状の基本構成については、図１に示す場合と同様に、上半部と下半部とにそれぞれ２４個形成し、ＩＣチップを搭載して接続する給電点（ｃ）の左右は、上半部と下半部とは対称形を有し、この給電点（ｃ）の両側の導体パターンの間隔は、搭載するＩＣチップの大きさ等により他の部分より対向導体パターン間の間隔を広くしている。この給電点（ｃ）に対向する上半部の対向導体パターン間の間隔は、同様に広く形成し、その対向導体パターン間を複数個所で接続する微調整用短絡導体パターン２により、微調整部（ｂ）を構成している。又粗調整部（ａ）は、上半部と下半部との折り曲げ部間を粗調整用接続導体パターン３により接続した構成の場合を示すが、１個おき又は複数個おきに、粗調整用接続導体パターン３により接続した構成の粗調整部（ａ）とすることもできる。
【００２１】
図７の（Ａ），（Ｂ），（Ｃ）は、図６に於ける粗調整部（ａ）の上半部と下半部との間を接続する粗調整用接続導体パターンを選択的に削除した場合のメアンダラインアンテナの構成を示す。なお、微調整部（ｂ）は、上から４番目の微調整用短絡導体パターンを残して、他の微調整用短絡導体パターンを削除した場合を示す。又図７の（Ａ）は、左右の最外側の粗調整用接続導体パターンを１番目とすると、この１番目と、間隔が３１．５ｍｍの５番目とを残して他の粗調整用接続導体パターンを削除した場合の構成を示す。又図７の（Ｂ）は、両外側の１番目と、間隔が１５．５ｍｍの９番目との粗調整用接続導体パターンを残して、他の粗調整用接続導体パターンを削除した構成を示す。又図７の（Ｃ）は、両外側の１番目と、間隔が３．５ｍｍの１１番目との粗調整用接続導体パターンを残して、他の粗調整用接続導体パターンを削除した構成を示す。
【００２２】
図８の（Ａ），（Ｂ）及び図９の（Ｃ）は、それぞれ図７の（Ａ），（Ｂ），（Ｃ）の構成による８００〜１１００ＭＨｚに於けるインピーダンス特性を示し、黒丸印は９００ＭＨｚに於けるインピーダンスを示す。即ち、上半部と下半部との間を接続する粗調整部（ａ）の粗調整用接続導体パターンの選択により、アンテナのインピーダンスを大きく変化させることができる。なお、微調整部（ｂ）を、上から４番目の微調整用短絡導体パターンを残した微調整後の構成について説明しているが、粗調整後に、この微調整部（ｂ）の微調整用短絡導体パターンを選択することにより、インピーダンスの微調整を行うことができる。
【実施例３】
【００２３】
図１０は、本発明の実施例３の説明図であり、長さＬと幅Ｗとの領域に形成した基本構成を示し、微調整部（ｂ）は、給電点（ｃ）に対向した上半部に、図１又は図６に示す構成と同様に、対向導体パターン間を複数の微調整用短絡導体パターン２により接続して構成し、又下半部に形成した給電点（ｃ）は、ＩＣチップを搭載して接続できるように幅広い導体パターンにより構成し、又粗調整部（ａ）は、微調整部（ｂ）に比較して対向導体パターン間の間隔を広くし、その対向導体パターン間を複数の粗調整用短絡導体パターン４により接続して構成している。この場合、Ｗ＝２０ｍｍ、Ｌ＝４８ｍｍ、導体パターン幅＝０．２５ｍｍ、微調整部（ｂ）の対向導体パターン間の間隔を１．５ｍｍ、微調整用短絡導体パターンの配置間隔を１．７５ｍｍ、粗調整部（ａ）の対向導体パターン間の間隔を９．５ｍｍ、粗調整用短絡導体パターン４の配置間隔を１．７５ｍｍとすることができる。
【００２４】
図１１の（Ａ），（Ｂ）及び図１２の（Ｃ），（Ｄ）は、図１０に示す基本構成に於ける微調整部（ｂ）の上から９番目までの微調整用短絡導体パターン２を削除し、粗調整部（ａ）の下から４番目（給電点（ｃ）から１．７５ｍｍ）、３番目（給電点（ｃ）から３．５ｍｍ）、２番目（給電点（ｃ）から５．２５ｍｍ）、１番目（給電点（ｃ）から７ｍｍ）のそれぞれの粗調整用短絡導体パターン４を残して他の粗調整用短絡導体バターンを削除する粗調整を行った場合の構成を示す。
【００２５】
図１３の（Ａ），（Ｂ）及び図１４の（Ｃ），（Ｄ）は、それぞれ前述の図１１の（Ａ），（Ｂ）及び図１２の（Ｃ），（Ｄ）の構成による８００〜１１００ＭＨｚに於けるインピーダンス特性を示し、黒丸印は、９００ＭＨｚに於けるインピーダンスを示す。即ち、粗調整部（ａ）の粗調整用短絡導体パターンの選択により、アンテナのインピーダンスを大きく変更することができる。なお、微調整部（ｂ）については、前述の各実施例と同様に、粗調整後に、微調整用短絡導体パターンを選択することにより、インピーダンスの微調整を行うことができる。
【００２６】
図１５の（Ａ），（Ｂ）及び図１６の（Ｃ），（Ｄ），（Ｅ）は、図１０に示す基本構成に於ける粗調整部（ａ）の下から１番目の粗調整用短絡導体パターン４を残して他の微調整用短絡導体パターンを削除し、図１２の（Ｄ）に示す粗調整部（ａ）の構成とした後、微調整部（ｂ）の１０個の微調整用短絡導体パターン２について、上から２番目（上から１ｍｍ）、４番目（上から３ｍｍ）、６番目（上から５ｍｍ）、８番目（上から７ｍｍ）、１０番目（上から９ｍｍ）をそれぞれ残して、他の微調整用短絡導体パターンを削除した構成を示す。
【００２７】
図１７の（Ａ），（Ｂ）、図１８の（Ｃ），（Ｄ）及び図１９の（Ｅ）は、図１５の（Ａ），（Ｂ）及び図１６の（Ｃ），（Ｄ），（Ｅ）の構成によるアンテナのインピーダンス特性を示すものであり、黒丸印は，９００ＭＨｚに於けるインピーダンスを示すものであるが、スミスチャート上では判別できないような微調整が可能である。
【００２８】
図２０の（Ａ）は、前述の図１５の（Ａ），（Ｂ）及び図１６の（Ｃ），（Ｄ），（Ｅ）に示す微調整結果による９００ＭＨｚに於けるインピーダンスＺ［Ω］と、アドミッタンスＹ［ｍＳ］と，並列容量Ｃ［ｐＦ］との値を示す。なお、インピーダンスＺとアドミッタンスＹとの虚数部は記号“ｉ”により示している。又図２０の（Ｂ）は、アンテナとＩＣチップとの等価回路を示し、ＩＣチップ側は、抵抗成分Ｒｐと容量成分Ｃｐとを含む場合を示す。この等価回路に於いて、アンテナ側のインピーダンスＺを構成する抵抗成分と、ＩＣチップ側の抵抗成分Ｒｐとを等しくし、アンテナ側のインピーダンスＺを構成するインダクタンス成分と、ＩＣチップ側の容量成分Ｃｐとのそれぞれのインピーダンスを等しくなるように、インピーダンスマッチングをとることになる。
【００２９】
前述の図１７の（Ａ），（Ｂ）、図１８の（Ｃ），（Ｄ）及び図１９の（Ｅ）のスミスチャート上では、微調整結果によるインピーダンスの変化が識別できないような微小変化となるが、図２０の（Ａ）に示すＡ，Ｂ，Ｃ，Ｄ，ＥのインピーダンスＺは、それぞれ図１７の（Ａ），（Ｂ）、図１８の（Ｃ），（Ｄ）及び図１９の（Ｅ）のスミスチャートに対応したものを示している。即ち、容量成分Ｃｐについては、０．００１ｐＦのオーダーで、アンテナ特性の微調整が可能となる。なお、前述の実施例１及び実施例２に於いても、この実施例３に於ける微調整部（ｂ）による微調整結果と同様に、微調整部（ｂ）の微調整用短絡導体パターンの選択的な削除により微調整を行うことができる。
【図面の簡単な説明】
【００３０】
【図１】本発明の実施例１の説明図である。
【図２】本発明の実施例１の説明図である。
【図３】本発明の実施例１の説明図である。
【図４】本発明の実施例１のインピーダンス特性説明図である。
【図５】本発明の実施例１のインピーダンス特性説明図である。
【図６】本発明の実施例２の説明図である。
【図７】本発明の実施例２の説明図である。
【図８】本発明の実施例２のインピーダンス特性説明図である。
【図９】本発明の実施例２のインピーダンス特性説明図である。
【図１０】本発明の実施例３の説明図である。
【図１１】本発明の実施例３の説明図である。
【図１２】本発明の実施例３の説明図である。
【図１３】本発明の実施例３のインピーダンス特性説明図である。
【図１４】本発明の実施例３のインピーダンス特性説明図である。
【図１５】本発明の実施例３の説明図である。
【図１６】本発明の実施例３の説明図である。
【図１７】本発明の実施例３のインピーダンス特性説明図である。
【図１８】本発明の実施例３のインピーダンス特性説明図である。
【図１９】本発明の実施例３のインピーダンス特性説明図である。
【図２０】本発明の実施例３の微調整によるインピーダンスの説明図である。
【符号の説明】
【００３１】
（ａ）  粗調整部
（ｂ）  微調整部
（ｃ）  給電点
１      粗調整用短絡導体パターン
２      微調整用短絡導体パターン
３      粗調整用接続導体パターン
４      微調整用短絡導体パターン
【図１】
2006216999.tif 000003
【図２】
2006216999.tif 000004
【図３】
2006216999.tif 000005
【図４】
2006216999.tif 000006
【図５】
2006216999.tif 000007
【図６】
2006216999.tif 000008
【図７】
2006216999.tif 000009
【図８】
2006216999.tif 000010
【図９】
2006216999.tif 000011
【図１０】
2006216999.tif 000012
【図１１】
2006216999.tif 000013
【図１２】
2006216999.tif 000014
【図１３】
2006216999.tif 000015
【図１４】
2006216999.tif 000016
【図１５】
2006216999.tif 000017
【図１６】
2006216999.tif 000018
【図１７】
2006216999.tif 000019
【図１８】
2006216999.tif 000020
【図１９】
2006216999.tif 000021
【図２０】
2006216999.tif 000022